(57)【要約】【課題】室内で十分にリラックスすることができ、かつ、利便性が高いスリッパ型のソックスを提供する。【解決手段】このスリッパソックス１００は、甲被部１０２と、略足底形状の底板部１０４とを備えるスリッパ型の布生地製ソックスであって、底板部１０４の踵側端部に、踵を包む踵被覆部１０６を備え、この踵被覆部１０６の上縁の折り返し部分にゴム素材を挿入することにより、踵被覆部１０６に伸縮性を持たせている。【選択図】図１
2014045881.tif 000002
【特許請求の範囲】
【請求項１】
甲被部と、略足底形状の底板部とを備えるスリッパ型の布生地製ソックスであって、
前記底板部の踵側端部に、踵を包む踵被覆部を備え、
前記踵被覆部に、伸縮性部材を設けていることを特徴とするスリッパソックス。
【発明の詳細な説明】
【技術分野】
【０００１】
本発明は、主として室内で使用されるスリッパ型の足被覆具に関し、特に、室内で十分にリラックスすることができるスリッパ型の足被覆具（ソックス）に関する。
【背景技術】
【０００２】
室内履きの代表的な足被覆具としてスリッパがある。このスリッパは、足を乗せて足裏に直接当接する中敷部材と、足先および甲部を包み込む形状に形成された甲被部材と、スリッパの下側に位置して、床面と直接当接する底部材と、これら中敷部材、甲被部材および底部材を位置決めして結合させる支持部材等によって構成されている。
このようなスリッパは、その構造上、室内で小走りするような動き等をした場合には脱げてしまうことがある。また、室内階段の上り下りにおいて脱げてしまうことがある。さらに、急な来客等で玄関で対応しなければならない場合にはスリッパを脱いでサンダル（突っかけ）等に履き替えなければならない。このように脱げてしまうことを嫌ったり、履き替えることを嫌ったりする人たちは、室内でリラックスしたい場合には、素足で過ごしたり、スリッパではなく靴下を履いて過ごしたりする。
【０００３】
素足の場合には、夏期は高温多湿による床面からのべたつきを感じ、冬季は低温による床面からの冷えを感じる。また、靴下の場合には、通常の靴下は床面との接触面に滑り止めを施していないために、フローリング床または階段において滑るおそれがある。このような不快感があると、十分にリラックスできるとは言えない。
このように、室内でリラックスしたいと思う人たちにとっては、スリッパであっても、素足であっても、靴下であっても、十分にリラックスできないことが考えられる。
【０００４】
なお、室内履きの足被覆具として、ルームシューズがある。スリッパの形状に近いルームシューズは、スリッパと同じように上述した問題点がある、また、スリッパの脱げやすい問題点を解決するために足から抜け難い靴の形状に近いルームシューズは、靴の形状に近づけたために足を被覆する部分が多くなり室内で十分にリラックスしたいと思う人たちにとっては、窮屈で好まれにくいことが考えられる。
【０００５】
このような問題点を解決するための１つの方策として、スリッパ型のソックスが考えられる。実用新案登録第３１０７８９２号公報（特許文献１）は、爪先部編地と足底部編地とから構成され、爪先部編地は、円筒状編地の先端を袋状編地で閉鎖し、かつ、円筒状編地の他端に環状の口ゴム部分編地を有し、足底部編地は、対称形をなした２枚の台形編地を２枚重ねに折り返し、台形編地の底辺部分を前記環状の口ゴム部分編地に一体としてなるスリッパ型ソックスを開示する。
【０００６】
このスリッパ型ソックスによると、スニーカー等の丈の低い靴を使用する際であっても、着用したソックスが靴外から見られることはなく、かつ、着用時の足裏部全体のムレを吸収することができ、かつ、安定した着用感が得られる。
【先行技術文献】
【特許文献】
【０００７】
【特許文献１】実用新案登録第３１０７８９２号公報
【発明の概要】
【発明が解決しようとする課題】
【０００８】
しかしながら、特許文献１に開示されたスリッパ型ソックスは、そもそも、スニーカー等の丈の低い靴を使用する際であっても、着用したソックスが靴外から見られることがないように開発されたものでしかない。このスリッパ型ソックスを使用する際は、特許文献１の図１に開示されたように、爪先部編地に爪先を挿入し底部編地を足裏に位置させ踵で底部編地を踏む状態で靴を履く。すなわち、踵で底部編地を踏んでいるに過ぎない。仮にこれを室内履きとして使用したとしても、靴を履いていないので、底部編地が踵と靴とで挟持されないために、床面から足を上げると、底部編地が踵から離隔して室内履きとして機能しない。
【０００９】
本発明は、従来技術の上述の問題点に鑑みて開発されたものであり、その目的とすると
ころは、室内で十分にリラックスすることができ、かつ、利便性が高いスリッパ型のソックス（靴下）を提供することである。
【課題を解決するための手段】
【００１０】
上記目的を達成するため、本発明に係るスリッパソックスは以下の技術的手段を講じている。
すなわち、本発明に係るスリッパソックスは、甲被部と、略足底形状の底板部とを備えるスリッパ型の布生地製ソックスであって、前記底板部の踵側端部に、踵を包む踵被覆部を備え、前記踵被覆部に、伸縮性部材を設けていることを特徴とする。
【発明の効果】
【００１１】
本発明のスリッパソックスによれば、室内で十分にリラックスすることができ、かつ、利便性が高いスリッパ型のソックスを提供することができる。
【図面の簡単な説明】
【００１２】
【図１】本発明の実施の形態に係るスリッパソックスの全体斜視図である。
【図２】図１のスリッパソックスの上面図である。
【図３】図１のスリッパソックスの側面図である。
【図４】図１のスリッパソックスの底面図である。
【発明を実施するための形態】
【００１３】
以下、本発明の実施の形態に係るスリッパソックスを、図面に基づき詳しく説明する。なお、このようなスリッパソックスの構造には様々なものがあり、本発明は特定の構造に限定されるものではなく、後述する特徴を備えたものであれば、どのような構造であっても、構成する布生地の種類、布生地の型紙およびその縫製がどのようなものであっても、構わない。そのため、以下に示すスリッパソックスは単なる例示でしかない。
【００１４】
また、以下に示すスリッパソックスは左右共用であるために、左右を履き間違いすることがない点で好ましい。
図１に本発明の実施の形態に係るスリッパソックス１００の全体斜視図を示すとともに、図２、図３および図４に、このスリッパソックス１００の上面図、側面図および底面図をそれぞれ示す。図１は着用者の足Ｆにスリッパソックスを着用している状態を想定している。図２および図３も着用者の足Ｆは図示していないが、スリッパソックス１００を着用している状態を想定している。すなわち、本発明の実施の形態に係るスリッパソックス１００は、全ての部位が布生地で形成されているために、このように想定して図示しない場合には、形状を理解することが困難なため、上述のように想定している。特に、後述するように、踵被覆部には伸縮性部材を設けているので、このように想定しない場合にはこの伸縮性部材が縮んでしまうために、形状を理解することが困難である。
【００１５】
これらの図に示すように、このスリッパソックス１００は、甲被部１０２と、略足底形状の底板部１０４とを備えるスリッパ型の布生地製ソックスである。
甲被部１０２は、着用者の足の甲を覆う布生地であって、底板部１０４における爪先側から中央部近傍にかけての左右端に縫着されている。この甲被部１０２は、たとえば、同じ布生地を２枚合わせたキルティング素材であって、甲被部１０２の縫合用周辺部１０２Ａと底板部１０４の縫合用周辺部１０４Ａとにより一体化されている。なお、このスリッパソックス１００においては、着用者の爪先が見える甲被部１０２であるが、着用者の爪先全てを覆い隠し、着用者の爪先が見えないような甲被部１０２であっても構わない。
【００１６】
底板部１０４は、略足底形状の布生地で構成され、着用者の足裏が当接するために肌触りのよい布生地（たとえばタオル生地）で構成されている。この底板部１０４の裏面には、図４に示すように、滑り止めである小突起１０８Ａを多数備えた滑り止め生地１０８が表裏一体に設けられている。底板部１０４と滑り止め生地１０８とは、縫合用周辺部１０４Ａおよび縫合ライン１０４Ｂにより一体化されている。
【００１７】
底板部１０４の踵側端部には、着用者の踵を包むように形成された踵被覆部１０６が設けられている。この踵被覆部１０６は、たとえば甲被部１０２と同様に、同じ布生地を２枚合わせたキルティング素材であって、踵被覆部１０６の縫合用周辺部１０６Ａと底板部１０４の縫合用周辺部１０４Ａとにより一体化されている。
特に、踵被覆部１０６には伸縮性部材が設けられている。詳しくは、踵被覆部１０６の上縁である縫合用周辺部１０６Ａは、折り返し部を備え、その中にゴム紐または平ゴムが挿入されている。このように、このスリッパソックス１００においては、踵被覆部１０６の上縁に伸縮性部材を設けているが、本発明はこれに限定されるものではなく、踵被覆部１０６自体を伸縮性生地により構成しても構わないし、踵被覆部１０６の上縁以外に伸縮性部材を設けるように構成しても構わない。
【００１８】
上述したように、甲被部１０２と踵被覆部１０６とは同じ種類の布生地（布生地Ａとする）で構成され、底板部１０４および滑り止め生地１０８は互いに異なる布生地で構成され、底板部１０４および滑り止め生地１０８は布生地Ａとは異なる布生地で構成されている。これ以外の布生地の組合せでも構わないことはいうまでもない。
なお、スリッパソックス１００を構成する布生地は薄手の生地である。特に、この薄手の布生地に伸縮性がある場合には、スリッパソックス１００の着用時にフットカバーのような窮屈さを感じさせないようにすることができる点で好ましい。
【００１９】
以上のようにして、本実施の形態に係るスリッパソックス１００によると、以下のような作用効果を発現することができる。
（１）踵被覆部１０６が着用者の踵を包むために踵がスリッパソックス１００に密着するので、スリッパのように着用者の足から脱げることがない。特に、踵被覆部１０６に伸縮性部材を設けたため、踵を十分に包み込むことができ、着用者の足からスリッパソックス１００が脱げることがない。
（２）上記の（１）ではスリッパの問題点を解決しているが、同時にフットカバーの窮屈さの問題点を有するように思える。しかしながら、このスリッパソックス１００は、全体が薄手の布生地で構成されているソックスであって、かつ、足の全体を覆うものではないので、窮屈さを感じないで、十分にリラックスすることができる。特に、スリッパソックス１００の全体を構成する薄手の布生地に伸縮性がある場合にはさらに窮屈さを感じさせないようにすることができる。
（３）上記の（２）に加えて、このスリッパソックス１００を着用した状態で、急な来客等で玄関で対応しなければならない場合であっても、スリッパソックス１００を着用したままでサンダル（突っかけ）等に履くことができ利便性が高く、余裕を持って対応できるので、十分にリラックスすることができる。
（４）上記の（２）に加えて、このスリッパソックス１００には滑り止めである小突起を多数備えた滑り止め生地１０８を設けたので、フローリング床または階段において滑ることがなく安心できるので、十分にリラックスすることができる。
（５）このスリッパソックス１００は全体が薄手の布生地で構成されているソックスであるので、携帯性に優れる。このため、利便性が高い。
【００２０】
このように、上記の特徴を備えたスリッパソックスは今までに存在しなかった室内用の足被覆具であって、スリッパ、靴下、素足およびフットカバーに対して、大きな作用効果を発現するものである。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２１】
本発明は、室内用の足被覆具に好適であり、スリッパ、通常の靴下、素足およびルームシューズに比較して、室内で十分にリラックスすることができ、かつ、利便性が高い点で特に好ましい。
【符号の説明】
【００２２】
１００  スリッパソックス
１０２  甲被部
１０４  底板部
１０６  踵被覆部
１０８  滑り止め生地
【図４】
2014045881.tif 000003
【図１】
2014045881.tif 000004
【図２】
2014045881.tif 000005
【図３】
2014045881.tif 000006